(57)【要約】【課題】  暗証番号を入力した形跡を他人に探られることを防止できる暗証番号入力装置を提供する。【解決手段】  暗証番号入力装置が、表示器（１６）と、表示器（１６）を制御するための制御装置（１５）を有する。表示器（１６）が、記号（ｉ）を移動させながら表示することができる主表示部（１２）と、任意の記号（ｉ）を選択するための選択手段（１４、２４）を有する。選択手段は、タッチパネル（１４）または押ボタン（２４）で構成できる。主表示部（１２）に移動しながら表示されている所望の任意の１つの記号（ｉ）が選択手段（１４、２４）の操作によって選択される。このような選択が繰り返されることにより、選択された複数（たとえば４個）の記号（ｉ）が暗証番号として入力される。【選択図】  図１
2006113653.tif 000002
【特許請求の範囲】
【請求項１】
表示器（１６）と、表示器（１６）を制御するための制御装置（１５）を有する暗証番号入力装置において、表示器（１６）が、１つ又は複数の記号を移動させながら表示することができる主表示部（１２）を有し、その主表示部（１２）に表示されている任意の記号を選択して、暗証番号として入力する構成にしたことを特徴とする暗証番号入力装置。
【請求項２】
表示器（１６）と、表示器（１６）を制御するための制御装置（１５）を有する暗証番号入力装置において、表示器（１６）が、１つ又は複数の記号を移動させながら表示することができる主表示部（１２）を有し、任意の１つの記号を１回の操作で選択するための選択手段（１４、２４）を設けたことを特徴とする請求項１に記載の暗証番号入力装置。
【請求項３】
選択手段が、主表示部（１２）に少なくとも部分的に重なり合うように設けられたタッチパネル（１４）であって、そのタッチパネル（１４）にタッチすることにより任意の記号を選択することを特徴とする請求項１又は２に記載の暗証番号入力装置。
【請求項４】
選択手段がボタンであって、移動している所望の１つの記号が所定のゾーン（２７）に到来した時にボタン（２４）を操作することで、その所望の１つの記号を選択して、暗証番号として入力する構成にしたことを特徴とする請求項１又は２に記載の暗証番号入力装置。
【請求項５】
主表示部（１２）が、帯状に形成されていて、スクロール式またはテロップ式の表示部として構成されており、移動している記号の一部が主表示部（１２）の表示範囲の終端から消えた場合に、その消えた記号（ｉ）が主表示部（１２）の表示範囲の始端から改めて出現する構成にしたことを特徴とする請求項１〜４のいずれか１項に記載の暗証番号入力装置。
【請求項６】
表示器（１６）が、桁表示記号を表示するための補助表示部（１８）を有し、選択された記号が暗証番号の何桁目かを示すために、桁表示記号（Ｉ）が補助表示部（１８）に表示されることを特徴とする請求項１〜５のいずれか１項に記載の暗証番号入力装置。
【発明の詳細な説明】
【技術分野】
【０００１】
本発明は、暗証番号入力装置に関する。
【背景技術】
【０００２】
暗証番号の入力方式としては、４桁の数値をテンキーから入力するものが一般的である。この入力方式は、銀行ＡＴＭやデビットカード決済機器、建物への入室制限のためのセキュリティロック製品等に、広く利用されている。
【０００３】
０から９までの４桁の数字の組み合わせの場合、「００００」から「９９９９」までの１万通りが存在する。その組み合わせの多さから、４桁の数値をテンキーから入力する方式が、セキュリティのために重要な役目を担ってきた。
【０００４】
このような暗証番号の入力方式を採用した機器として、タッチパネルに表示されるテンキーの配置をその都度変更して、指の動きでは察知できないようにしたものが提案されている（特許文献１）。
【０００５】
また、暗証番号入力とスクロール表示に関して種々の提案がなされている（特許文献２〜８）。
【特許文献１】特開２００２−３５８１５３号公報
【特許文献２】特開昭６２−１６９２９３号公報
【特許文献３】特開平６−２５８８８５号公報
【特許文献４】特開平１１−３０８６５０号公報
【特許文献５】特開２０００−２８２７２８号公報
【特許文献６】特開２０００−３５４２７３号公報
【特許文献７】特開２００１−３５０５６７号公報
【特許文献８】特開２００３−１０３０１０号公報
【発明の開示】
【発明が解決しようとする課題】
【０００６】
しかしながら、テンキーを用いた暗証番号の入力方式、たとえば、０から９までの４桁の数字の組み合わせによる暗証番号の入力方式には、次のような欠点が存在する。
【０００７】
故意に暗証番号を盗もうと考えた人間が、事前に全てのテンキーをアルコールで洗浄しておく。その後、暗証番号を知る人間が、所定のテンキーを操作することにより暗証番号を入力してセキュリティを解除する。解除された後、暗証番号を盗もうと考えた人間が全てのテンキーに紫外線ランプを照射すると、操作したテンキーは、暗証番号を知る人間の指の皮脂が紫外線に反応する。その結果、押したキーだけが他のキーと区別し得るように光る。これにより、本来、理論的には４桁で１万通りの組み合わせがあるはずの暗証番号は、現実には、４×４＝１６通りという、極めて限定された組み合わせとなってしまう。そのため、故意に暗証番号を盗もうと考えた人間に対しては、セキュリティ効果が著しく低下してしまう。
【０００８】
また、テンキーを事前にアルコール洗浄しない場合であっても、長い間、テンキーを同じ暗証番号として使い続けると、暗証番号で使っている数字のキーが変色してしまい、他のキーと識別可能になってしまう。
【０００９】
それだけでなく、長い間、テンキーを同じ暗証番号として使い続けると、キーの接触不良を起こす確率が高まる。キーにはＭＴＢＦ＝平均故障間隔時間が存在するを言われている。
【００１０】
さらに、テンキーで暗証番号を入力する場合、指の動きが他人に盗視されて、入力した暗証番号が察知されることもある。これを避けるため、タッチパネルに表示されるテンキーの配置をその都度変更して、指の動きでは他人が察知できないようにした提案がなされている（特許文献１）。しかし、それでも盗視は避けられなかった。
【００１１】
そこで、本発明は、テンキーの操作によって暗証番号を入力した形跡を探られることを防止できる暗証番号入力装置を提供することを目的としている。
【課題を解決するための手段】
【００１２】
本発明の解決手段を例示すると、以下の通りである。
【００１３】
（１）  表示器（１６）と、表示器（１６）を制御するための制御装置（１５）を有する暗証番号入力装置において、表示器（１６）が、１つ又は複数の記号を移動させながら表示することができる主表示部（１２）を有し、その主表示部（１２）に表示されている任意の記号を選択して、暗証番号として入力する構成にしたことを特徴とする暗証番号入力装置。
【００１４】
（２）  表示器（１６）と、表示器（１６）を制御するための制御装置（１５）を有する暗証番号入力装置において、表示器（１６）が、１つ又は複数の記号を移動させながら表示することができる主表示部（１２）を有し、任意の１つの記号を１回の操作で選択するための選択手段（１４、２４）を設けたことを特徴とする前述の暗証番号入力装置。
【００１５】
（３）  選択手段が、主表示部（１２）に少なくとも部分的に重なり合うように設けられたタッチパネル（１４）であって、そのタッチパネル（１４）にタッチすることにより任意の記号を選択することを特徴とする前述の暗証番号入力装置。
【００１６】
（４）  選択手段がボタンであって、移動している所望の１つの記号が所定のゾーン（２７）に到来した時にボタン（２４）を操作することで、その所望の１つの記号を選択して、暗証番号として入力する構成にしたことを特徴とする前述の暗証番号入力装置。
【００１７】
（５）  主表示部（１２）が、帯状に形成されていて、スクロール式またはテロップ式の表示部として構成されており、移動している記号の一部が主表示部（１２）の表示範囲の終端から消えた場合に、その消えた記号（ｉ）が主表示部（１２）の表示範囲の始端から改めて出現する構成にしたことを特徴とする前述の暗証番号入力装置。
【００１８】
（６）  表示器（１６）が、桁表示記号を表示するための補助表示部（１８）を有し、選択された記号が暗証番号の何桁目かを示すために、桁表示記号（Ｉ）が補助表示部（１８）に表示されることを特徴とする前述の暗証番号入力装置。
【発明の効果】
【００１９】
本発明による暗証番号入力装置は、表示器が、１つ又は複数の記号を移動させながら表示することができる主表示部を有し、タッチ式やボタン式にその他の形で所望の記号を選択して暗証番号として入力するため、暗証番号を入力した形跡を他人に探られることを防止することができる。
【００２０】
とくに、タッチパネルが主表示部に少なくとも部分的に重なり合うように設けられる構成にすれば、表示器とタッチパネルという単純な構成で、暗証番号を容易に入力できる。入力位置と数字との位置関係が一定でないため、紫外線を照射しても押した数字との因果関係は無く、その形跡を追うことはできない。それゆえ、セキュリティ効果が高い。
【００２１】
また、タッチパネルを使用すれば、テンキーの場合と違って、ＭＴＢＦ（平均故障間隔時間）を長くすることができる。例えば、一般的なテンキーのＭＴＢＦは６〜１０万回であるのに対し、一般的なタッチパネルのＭＴＢＦは１０００万回（ドット１点につき２５０ｇ負荷）である。
【００２２】
また、所望の記号を選択するために、タッチパネルに代えて、またはタッチパネルに加えて、ボタンを設けて、所望の記号が所定のゾーンに到来した時、ボタンが操作されることで、所望の１つの記号が選択され、この選択が繰り返されることにより、選択された記号が暗証番号として入力される構成にすると、主表示部を小さくせざるを得ない場合や、記号を大きく表示させる必要がある場合であっても、４桁の暗証番号の入力を容易にでき、かつ暗証番号を入力した形跡を他人に探られることを防止することができる。
【００２３】
移動している記号の一部が主表示部の表示範囲の終端から消えた場合に、その消えた記号が主表示部の表示範囲の始端から改めて出現する構成にすれば、常に全ての記号を主表示部に表示させながら、その中から所望の記号の選択を迅速に行うことができる。
【００２４】
表示器が、記号の選択毎に桁表示記号を表示するための補助表示部を有する構成にすれば、操作者が何桁目のタッチなのかを容易に視認できる。
【発明を実施するための最良の形態】
【００２５】
本発明の暗証番号入力装置は、表示器と、表示器を制御するための制御装置を有する。
【００２６】
表示器が、記号を移動させながら表示することができる主表示部と、主表示部に移動しながら表示されている任意の１つの記号を選択するための選択手段を有する。選択手段は、タッチパネル、押ボタン、その他種々のものを採用できる。
【００２７】
選択部へのタッチにより、あるいは選択部に接続されたボタンの操作により、所望の任意の１つの記号が選択される。そして、このような選択動作が繰り返されることにより、選択された複数（たとえば４つ）の記号が暗証番号として入力される。
【００２８】
以下に示す実施例においては、記号は０から９までの１０個の数字で構成されているが、記号は数字に限らず、数字以外の文字や、アイコン、シンボル等の図形や記号でもよい。たとえば、「（いぬ）（ねこ）（ぺんぎん）（たぬき）（ライオン）」等のアイコン又はシンボルを記号（暗証番号）として用いることもできる。
【００２９】
主表示部は、スクロール式またはテロップ式の表示部として構成するのが好ましい。
【００３０】
選択手段がタッチパネルで構成され、タッチパネルが主表示部に少なくとも部分的に重なり合うように設けられるのが好ましい。
【００３１】
所望の記号が主表示の所定領域に到来したとき、ボタンを操作することにより、所望の記号を選択する構成にしてもよい。
【００３２】
表示器をテレビ画面やモニタ画面で構成し、主表示部をその一部の領域に配置することもできる。
【００３３】
本発明において、暗証番号は、最も広義に解釈するものとし、順番に付した数字や符号の他、文字、アイコン、シンボル等の図形や記号を含む。
【００３４】
表示器が、記号の選択に対応して桁表示記号を表示する補助表示部を有するのが好ましい。補助表示部には、図示された実施例の構成に加えて、暗証番号の入力を補助（アシスト）するための以下に示す種々のメッセージを表示できるようにするのが好ましい。
【００３５】
ａ．暗証番号入力時の桁数のお知らせ
例）「＊」
ｂ．暗証番号が一致した場合のＯＫメッセージ
例）「＊＊＊ＯＫ＊＊＊」
ｃ．暗証番号が確認できない場合のＮＧメッセージ
例）「    Ｎ  Ｇ！！  」
なお、メッセージは、英数字に限らず、表示器の性能・機能に応じて日本語（漢字）や他の文字とすることもできる。
【００３６】
例）「番号が確認できました」
本発明の暗証番号入力装置が任意の記号を選択するためのボタンを有する場合、ボタンは、最も広義に解釈するものとする。たとえば、突出した部分を有する押ボタン機器の他、押ボタンと同等の機能を有するタッチパネル上の表示領域内の手段であっても良い。非接触式のボタン（例えば近接式のボタン）でもよい。
【００３７】
本発明の暗証番号入力装置は、以下に示す種々の製品に組み込んで広範に利用され得るものである。
【００３８】
１．ビル、マンションなど、部屋を含む建築物のセキュリティロックを目的とした施錠装置。
【００３９】
２．銀行ＡＴＭ、コンビニＡＴＭなどのＡＴＭ装置。
【００４０】
３．デビットカードなどのいわゆる銀行キャッシュカードを利用した決済サービス機器。
【００４１】
４．金庫やセーフティボックスやロッカーなどの施錠を伴う製品。
【００４２】
以下、図面を参照して、本発明の好適な実施例を説明する。
【実施例１】
【００４３】
図１は、本発明による暗証番号入力装置の一例を示す説明図である。
【００４４】
暗証番号入力装置１０は、表示器１６と、表示器１６を制御するための制御装置１５を有している。
【００４５】
表示器１６は、主表示部１２、選択手段として機能するタッチパネル１４、補助表示部１８を有する。
【００４６】
主表示部１２は、複数（図示例では１０個）の記号ｉを矢印Ｘ方向（テロップ方向ともいう）に移動させながら表示する。これは、テロップ表示又はスクロール表示とも呼ばれている。
【００４７】
主表示部１２には、記号ｉとして０から９までの１０個の数字が横一列に移動しながら表示される。すなわち、主表示部１２は、０から９までの１０個の数字を停止させずに流しつづけてテロップ表示又はスクロール表示をする。
【００４８】
図１は、０から９までの１０個の数字が全て主表示部１２の表示範囲内に表示され、主表示部１２の表示範囲の左端（終端）から数字“１”が消えて、表示範囲の右端（始端）から出現した直後の状態を示している。
【００４９】
なお、主表示部１２は、横方向から他人に読まれないように、視野角を少なくすることにより、入力する者だけが見えるようにするのが好ましい。
【００５０】
主表示部１２の表面には、０から９までの１０個の数字のうち、所望の任意の１つの数字を１回のタッチで選択するためのタッチパネル１４が設けられている。タッチパネル１４は主表示部１２を全体的に覆っていて視認可能である。
【００５１】
タッチパネル１４の所定の箇所にタッチする際、タッチ感を演出するために、タッチした数字を一時的に点滅させるのが好ましい。
【００５２】
補助表示部１８は、主表示部１２の上側に設けられていて、桁表示記号Ｉを表示する。桁表示記号Ｉは、下線「＿」やアスタリスク「＊」で構成される。
【００５３】
主表示部１２に表示された０から９までの１０個の数字のうち所望の任意の１つの数字がタッチパネル１４へのタッチによって選択されると、桁表示記号Ｉの表示は、下線「＿」からアスタリスク「＊」に変更される。図１は、暗証番号が４桁であって、その上位桁３桁が選択済で、残りの１桁が未選択の状態であることを示している。
【００５４】
主表示部１２、補助表示部１８およびタッチパネル１４は、制御装置１５に接続されている。接続は、有線又は無線とすることができる。
【００５５】
制御装置１５は、主表示部１２に表示される０から９までの１０個の数字の移動速度等を制御するとともに、補助表示部１８に表示される表示桁記号Ｉの表示を制御する。タッチパネル１４の所望部位がタッチされると、そのタッチ位置が検出されて、位置信号として制御装置１５に送られるようになっている。
【００５６】
主表示部１２と補助表示部１８は、通常、記号ｉ及び桁表示記号Ｉが表示されないスタンバイ状態にしておき、タッチパネル１４の所望部位がタッチされた際にのみ記号ｉ及び桁表示記号Ｉを表示する状態にすることもできる。
【００５７】
暗証番号入力装置１０の使用例を説明する。
【００５８】
０から９までの１０個の数字がテロップ方向Ｘに移動しているときに、操作者は、暗証番号として想定された数字ｎ桁を、上位桁から順に、テロップ表示されている０から９までの１０個の数字の中から順に所望の数字を１つずつ選択して、その数字の位置にタッチする。このときの数字の選択の適否の判断は、公知の技術を利用して行うことができる。例えば、制御装置１５は、タッチパネル１４が押圧された位置を取得し、押圧された位置と移動している数字の現在位置を比較して、押圧された位置と、０から９までの１０個の数字のうちの一つの数字の現在位置とが、所定の誤差の範囲内で一致するとき、制御装置１５は一つの数字が選択されたと判断する。押圧された位置と数字の現在位置が一致しないときは、制御装置１５は、押圧（タッチ）が適切でなく、所望の数字が選択されていないと判断する。所望の数字が適切に選択されると、補助表示部１８の桁表示記号Ｉが下線「＿」からアスタリスク「＊」に変更される。操作者は、このような選択を繰り返すことにより暗証番号を容易にかつ第三者から形跡を探られること無く入力できる。
【実施例２】
【００５９】
図２は、本発明による暗証番号入力装置の別の例を示す説明図である。図３は、図２の暗証番号入力装置を横方向から見た説明図である。
【００６０】
暗証番号入力装置２０は、表示器２６と、表示器を制御するための制御装置２５と、押ボタン２４を有している。
【００６１】
表示器２６は、主表示部２２を有する。その主表示部２２は、記号ｉを矢印Ｘ方向（テロップ方向ともいう）に移動させながら表示（テロップ表示又はスクロール表示ともいう）を行う。主表示部１２には、記号ｉとして０から９までの１０個の数字が横一列に移動しながら表示される。すなわち、０から９までの１０個の数字は、停止せずに流しつづけて、テロップ表示又はスクロール表示がなされる。
【００６２】
図２は、０から９までの１０個の数字のうち３つの連続した数字が部分的に表示され、主表示部２２の表示範囲の左端（終端）から数字“０”が消えて、表示範囲の右端（始端）から数字“３”が出現した直後の状態を示している。
【００６３】
主表示部２２は、横方向から読まれないように視野角を少なくして、入力する者だけが見えるようにするのが好ましい。
【００６４】
主表示部２２には、図示例のように複数（３つ）の数字でなく、常に１つの数字のみを表示させることも可能である。
【００６５】
主表示部２２の表面中央領域には、選択のためのゾーン２７が設けられている。数字がこのゾーン２７を通過するとき、その数字が強調されて際立つようになっている。数字の強調手段は、任意の手段（たとえば、色を変化させたり、明るさを増したりする手段）を用いることができる。
【００６６】
表示器２６から離れて、たとえば、その下側には、０から９までの１０個の数字のうち表示されている所望の任意の数字を選択するための押ボタン２４が設けられている。押ボタン２４の配置位置は任意でよい。
【００６７】
表示器２６と押ボタン２４は、制御装置２５に接続されている。接続は、有線又は無線とすることができる。
【００６８】
制御装置２５は、主表示部２２に表示される０から９までの１０個の数字の移動速度等を制御する。押ボタン２４が押圧されると、押圧された瞬間にゾーン２７にある数字が検出されて、制御装置２５に送られるようになっている。
【００６９】
暗証番号入力装置２０の使用例を説明する。
【００７０】
０から９までの１０個の数字がテロップ方向Ｘに移動しているときに、操作者は、暗証番号として想定された数字ｎ桁を、上位桁から順に、テロップ表示されている数字の中から選択して、その数字がゾーン２７に到来したとき、押しボタン２４を押す。
【００７１】
所望の数字が適切に選択されたか否かの判断は、公知の技術を利用して行うことができる。例えば、制御装置２５は、押ボタン２４が押圧されたときの数字の現在位置を取得し、ゾーン２７の位置と数字の現在位置を比較し、ゾーン２７の位置と数字の現在位置が所定の誤差の範囲内で一致するとき、制御装置２５は一つの数字が選択されたと判断する。ゾーン２７の位置と数字の現在位置が所定の誤差の範囲内で一致しないとき、制御装置２５は所望の数字が選択されていないと判断する。操作者は、このような選択を繰り返すことにより、複数の記号からなる暗証番号を入力する。
【００７２】
このようにすれば、主表示部を小さくせざるを得ない場合や、記号を大きく表示させる必要がある場合であっても、暗証番号を容易にかつ第三者から形跡を探られること無く入力できる。
【００７３】
なお、本発明は図示された実施例に限定されない。たとえば、押ボタンを有する暗証番号入力装置に補助表示部を設けても良い。
【００７４】
主表示部に表示させる記号の内容は任意である。
【００７５】
また、主表示部に記号が移動している状態でタッチするだけでなく、必要に応じて記号の移動は一時的に停止してタッチする構成にしてもよい。この場合、一時停止ボタンを設けるとよい。停止させるまでもなく、記号の移動速度を遅く調整できるようにしてもよい。
【図面の簡単な説明】
【００７６】
【図１】本発明による暗証番号入力装置の一例を示す説明図である。
【図２】本発明による暗証番号入力装置の別の例を示す説明図である。
【図３】図２の暗証番号入力装置を横方向から見た説明図である。
【符号の説明】
【００７７】
１０、２０  暗証番号入力装置
１２、２２  主表示部
１４  タッチパネル
１５、２５  制御装置
１６、２６  表示器
１８  補助表示部
２４  押ボタン
２７  ゾーン
ｉ  記号
Ｉ  桁表示記号
【図１】
2006113653.tif 000003
【図２】
2006113653.tif 000004
【図３】
2006113653.tif 000005
【手続補正書】
【提出日】平成16年10月13日(2004.10.13)
【手続補正１】
【補正対象書類名】明細書
【補正対象項目名】０００７
【補正方法】変更
【補正の内容】
【０００７】
故意に暗証番号を盗もうと考えた人間が、事前に全てのテンキーをアルコールで洗浄しておく。その後、暗証番号を知る人間が、所定のテンキーを操作することにより暗証番号を入力してセキュリティを解除する。解除された後、暗証番号を盗もうと考えた人間が全てのテンキーに紫外線ランプを照射すると、操作したテンキーは、暗証番号を知る人間の指の皮脂が紫外線に反応する。その結果、押したキーだけが他のキーと区別し得るように光る。これにより、本来、理論的には４桁で１万通りの組み合わせがあるはずの暗証番号は、現実には、極めて限定された組み合わせとなってしまう。そのため、故意に暗証番号を盗もうと考えた人間に対しては、セキュリティ効果が著しく低下してしまう。